(57)【要約】【課題】絶縁ハウジングに設けられた嵌合部の相手側コネクタ装置に設けられた嵌合部との嵌合が適正かつ円滑に行われるようになす状態を、容易かつ円滑に得ることができることになるコネクタ装置を提供する。【解決手段】嵌合凸部１７が設けられた絶縁ハウジング１５と、絶縁ハウジング１５に配列配置されて相手側コネクタ装置の導電コンタクトに接触接続される導電コンタクトと、絶縁ハウジング１５を部分的に覆う導電性シェル１６に装着され、嵌合凸部１７の相手側コネクタ装置の嵌合凹部との嵌合にあたり、絶縁ハウジング１５に配列配置された導電コンタクトの配列方向における両端部分を、相手側コネクタ装置の、絶縁ハウジング１５に配列配置された導電コンタクトの配列方向における両端部に夫々係合させて、絶縁ハウジング１５の位置，向き及び移動方向を規制するアライメントカバー１３とを備える。【選択図】図２
2010073535.tif 000002
【特許請求の範囲】
【請求項１】
相手側コネクタ装置に設けられた第１の嵌合部との嵌合状態におかれる第２の嵌合部が設けられた絶縁ハウジングと、
上記第２の嵌合部に配列配置される接触部分を有して上記絶縁ハウジングに配され、上記第２の嵌合部が上記第１の嵌合部との嵌合状態におかれるとき、上記相手側コネクタ装置に配された複数の第１の導電コンタクトに接触接続される複数の第２の導電コンタクトと、
上記絶縁ハウジングを部分的に覆う導電性シェルと、
該導電性シェルにその外面を部分的に覆って装着され、上記第２の嵌合部の上記第１の嵌合部との嵌合にあたり、上記接触部分の配列方向における両端部分を上記相手側コネクタ装置の上記接触部分の配列方向における両端部に夫々係合させて、上記絶縁ハウジングの位置，向き及び移動方向を規制するアライメントカバーと、
を備えて構成されるコネクタ装置。
【請求項２】
上記アライメントカバーが、上記両端部分の夫々に、上記絶縁ハウジングの上記接触部分の配列方向における端面部に所定の間隔をおいて対向する第１の案内部と該第１の案内部から上記第２の嵌合部側に離隔した第２の案内部とが、上記第２の嵌合部の上記第１の嵌合部との嵌合にあたって上記相手側コネクタ装置における上記両端部に夫々係合するものとして設けられることを特徴とする請求項１記載のコネクタ装置。
【請求項３】
上記第１及び第２の案内部が、上記アライメントカバーにおける上記導電性シェルの外面に沿って広がる部分から上記絶縁ハウジングの上記端面部に近付く方向に屈曲して伸びるものとされることを特徴とする請求項２記載のコネクタ装置。
【請求項４】
上記第１及び第２の案内部が、上記第２の嵌合部の上記第１の嵌合部との嵌合にあたり、先ず、上記第２の案内部が、上記相手側コネクタ装置の上記接触部分の配列方向における端部に設けられた第１の係合部に係合して、上記絶縁ハウジングについての案内を行い、続いて、上記第１の案内部が、上記相手側コネクタ装置の上記端部に設けられた第２の係合部に係合して、該第２の係合部を上記絶縁ハウジングにおける上記端面部とにより上記接触部分の配列方向において挟んで、上記絶縁ハウジングについての更なる案内を行うものとされ、それにより、上記第２の嵌合部の上記第１の嵌合部との嵌合が完了する状態が得られることを特徴とする請求項２記載のコネクタ装置。
【請求項５】
上記アライメントカバーにおける上記両端部分の夫々が、上記第２の嵌合部の上記第１の嵌合部との嵌合が完了したとき、上記相手側コネクタ装置の上記接触部分の配列方向における端部の一部分を、上記導電性シェルの外面とで上記接触部分の配列方向に直交する方向において挟む状態をとることを特徴とする請求項１記載のコネクタ装置。
【請求項６】
上記アライメントカバーにおける上記両端部分の夫々と上記導電性シェルの外面とが、上記第２の嵌合部の上記第１の嵌合部との嵌合が完了したとき、上記相手側コネクタ装置の上記端部を形成する導電性シェルの一部分を挟む状態をとることを特徴とする請求項５記載のコネクタ装置。
【発明の詳細な説明】
【技術分野】
【０００１】
本願の特許請求の範囲に記載された発明は、ケーブルやフレキシブル印刷配線基板（ＦＰＣ）等が連結されたもとで、例えば、ソリッド印刷配線基板等の主基板に取り付けられた相手側コネクタ装置との嵌合状態におかれ、ケーブルやＦＰＣ等と相手側コネクタ装置との電気的接続を果すコネクタ装置に関する。
【背景技術】
【０００２】
複数の比較的細いケーブルや比較的小型なＦＰＣを、各種の電気部品が取り付けられるソリッド印刷配線基板等の主基板に電気的に接続するにあたっては、複数のケーブルあるいはＦＰＣが連結されるケーブル等側コネクタ装置とされる第１のコネクタ装置と、主基板に取り付けられて主基板との電気的接続がなされ、第１のコネクタ装置との嵌合状態におかれる基板側コネクタ装置とされる第２のコネクタ装置と、が用いられることが多い。第１のコネクタ装置からみると、第２のコネクタ装置は第１のコネクタ装置にとっての相手側コネクタ装置となり、第２のコネクタ装置からみると、第１のコネクタ装置は第２のコネクタ装置にとっての相手側コネクタ装置となる。
【０００３】
斯かる場合、第１のコネクタ装置は、例えば、第２のコネクタ装置との嵌合部を形成する嵌合凸部が設けられる絶縁ハウジングを備え、その嵌合凸部に、複数のケーブル等との電気的接続がなされる複数の導電コンタクトの部分が配列配置される、プラグコネクタを成すものとされる。そして、第１のコネクタ装置は、通常、外部からの電磁波ノイズ対策のため絶縁ハウジングを部分的に覆う金属板材製の導電性シェルや導電性カバーを備えている。また、第１のコネクタ装置の相手側コネクタ装置となる第２のコネクタ装置は、例えば、第１のコネクタ装置との嵌合部を形成して第１のコネクタ装置の絶縁ハウジングに設けられた嵌合凸部に嵌合する嵌合凹部が設けられる絶縁ハウジングを備え、その嵌合凹部に、各々の一端部が端子部とされて主基板に電気的に接続される複数の導電コンタクトの部分が配列配置される、リセプタクルコネクタを成すものとされる。そして、第２のコネクタ装置も、通常、外部からの電磁波ノイズ対策のため絶縁ハウジングを部分的に覆う金属板材製の導電性シェルや導電性カバーを備えている。このようなもとで、第１のコネクタ装置の絶縁ハウジングに設けられた嵌合凸部が第２のコネクタ装置の絶縁ハウジングに設けられた嵌合凹部との嵌合状態におかれるとき、第１のコネクタ装置における複数の導電コンタクトが、第２のコネクタ装置における複数の導電コンタクトに夫々接触接続される。
【０００４】
上述のようなケーブル等側コネクタ装置とされる第１のコネクタ装置及び基板側コネクタ装置とされる第２のコネクタ装置にあっては、例えば、第２のコネクタ装置が主基板に取り付けられたもとで、複数のケーブルあるいはＦＰＣが連結された第１のコネクタ装置の絶縁ハウジングに設けられた嵌合凸部が、第２のコネクタ装置の絶縁ハウジングに設けられた嵌合凹部との嵌合状態におかれるにあたり、第２のコネクタ装置が取り付けられる主基板上において、高さ方向（主基板の基板面に直交する方向）における全体の寸法ができるだけ小とされることが、主基板の周囲スペースの低減化を図る観点から要望される。このような要望に応えるには、リセプタクルコネクタを成す第２のコネクタ装置が、その絶縁ハウジングに設けられた嵌合凹部が主基板の基板面に平行となる方向に開口するものとして、主基板に取り付けられるものとされ、プラグコネクタを成す第１のコネクタ装置が、主基板の基板面に沿って移動せしめられて、その絶縁ハウジングに設けられた嵌合凸部を第２のコネクタ装置の絶縁ハウジングに設けられた嵌合凹部に嵌合させるものとされる。
【０００５】
斯かる際、プラグコネクタを成す第１のコネクタ装置が備える嵌合凸部を、主基板に取り付けられたリセプタクルコネクタを成す第２のコネクタ装置が備える嵌合凹部に嵌合させるにあたっては、嵌合凸部を、嵌合凹部に対して適正な位置と向きとをもって対向させた後、適正な方向に移動させて、嵌合凹部との嵌合状態におくことが必要とされる。そのため、プラグコネクタを成す第１のコネクタ装置に、その嵌合凸部を越えて外方に突出する案内嵌合部を設けるとともに、リセプタクルコネクタを成す第２のコネクタ装置に、第１のコネクタ装置に設けられた案内嵌合部を受け入れる嵌合孔部を設けて、第１のコネクタ装置が備える嵌合凸部を第２のコネクタ装置が備える嵌合凹部に嵌合させる際には、嵌合凸部の嵌合凹部との嵌合に先立って、案内嵌合部を嵌合孔部に嵌合させ、それにより、嵌合凸部の嵌合凹部に対向する位置と向きとを決めるとともに、嵌合凹部に対する移動方向を決めて、嵌合凸部を、嵌合凹部に対する適正な位置と向きと移動方向とをもって、嵌合凹部に嵌合するものとなす方策が従来提案されている（例えば、特許文献１参照。）。
【０００６】
上述の特許文献１に記載されている従来提案されている方策がとられる場合には、プラグコネクタを成す第１のコネクタ装置（プラグ２０）に、絶縁ハウジング（ケーブル側ハウジング２１）に設けられた複数の保護片（３４）を形成するとともに複数の接触部（２４）が配列配置された嵌合凸部に加えて、その嵌合凸部を挟む位置において嵌合凸部を越えて外方に突出する一対の案内嵌合部（嵌合腕３０）が設けられ、一方、リセプタクルコネクタを成す第２のコネクタ装置（リセプタクル７０）の絶縁ハウジング（基板側ハウジング７１）に、第１のコネクタ装置の嵌合凸部が嵌合する嵌合凹部（嵌入溝８０）が設けられるとともに、その嵌合凹部を挟む位置に第１のコネクタ装置の一対の案内嵌合部が夫々嵌合する一対の嵌合孔部（嵌合孔７９）が設けられる。そして、第１のコネクタ装置が備える嵌合凸部を第２のコネクタ装置が備える嵌合凹部に係合させるにあたっては、先ず、第１のコネクタ装置に設けられた一対の案内嵌合部を第２のコネクタ装置に設けられた一対の嵌合孔部に夫々嵌合させ、第１のコネクタ装置が第２のコネクタ装置に対して案内嵌合部と嵌合孔部とによる案内を受けるようにしたもとで、第１のコネクタ装置が備える嵌合凸部を第２のコネクタ装置が備える嵌合凹部との嵌合状態をとるものとなす。
【０００７】
なお、各々の接触子が相互当接するものとされる一対のコネクタ装置（第１及び第２のコネクタ装置）であって、第１のコネクタ装置の接触子を第２のコネクタ装置の接触子に当接させるにあたり、第１のコネクタ装置に設けられた突出案内部（案内嵌合部）を第２のコネクタ装置に設けられた没入案内部（嵌合孔部）に没入させる（嵌合させる）ようにしたものも従来提案されている（例えば、特許文献２参照。）。
【０００８】
斯かる特許文献２に記載されたような一対のコネクタ装置にあっても、第１のコネクタ装置の接触子の第２のコネクタ装置の接触子との当接に先立って、第１のコネクタ装置に設けられた案内嵌合部を成す突出案内部が第２のコネクタ装置に設けられた嵌合孔部を成す没入案内部に没入せしめられる（嵌合せしめられる）ことにより、第１のコネクタ装置の第２のコネクタ装置に対する位置と向きと移動方向とが決められる。
【０００９】
【特許文献１】特開２００２−９３５２８号公報（第３〜５頁、図１）
【特許文献２】特開２００１−２２３０５７号公報（第３〜４頁、図１，２及び４）
【発明の開示】
【発明が解決しようとする課題】
【００１０】
上述の従来のコネクタ装置にあっては、第１のコネクタ装置が備える嵌合凸部の第２のコネクタ装置が備える嵌合凹部との嵌合、あるいは、第１のコネクタ装置の接触子の第２のコネクタ装置の接触子との当接は、第１のコネクタ装置に設けられた案内嵌合部が第２のコネクタ装置に設けられた嵌合孔部に嵌合せしめられて、第１のコネクタ装置が第２のコネクタ装置に対して案内嵌合部と嵌合孔部とによる案内を受け、それにより、第２のコネクタ装置に対する位置と向きと移動方向とが定められたもとで行われる。このように、第１のコネクタ装置に設けられた案内嵌合部が第２のコネクタ装置に設けられた嵌合孔部に嵌合せしめられた後においては、第１のコネクタ装置が備える嵌合凸部の第２のコネクタ装置が備える嵌合凹部との嵌合、あるいは、第１のコネクタ装置の接触子の第２のコネクタ装置の接触子との当接が、適正かつ円滑に行われることが期待されるが、第１のコネクタ装置に設けられた案内嵌合部の第２のコネクタ装置に設けられた嵌合孔部との嵌合については、第１のコネクタ装置が第２のコネクタ装置に対する何らの案内も受けないもとで行われることになるので、その円滑な達成は保証されない。
【００１１】
即ち、前述の従来のコネクタ装置にあっては、第１のコネクタ装置に設けられた案内嵌合部を第２のコネクタ装置に設けられた嵌合孔部に嵌合させることにより、第１のコネクタ装置が備える嵌合凸部の第２のコネクタ装置が備える嵌合凹部との嵌合、あるいは、第１のコネクタ装置の接触子の第２のコネクタ装置の接触子との当接が、適正かつ円滑に行われるようになす状態を得ることが意図されているのであるが、斯かる状態を容易かつ円滑に得ることが困難とされているのである。
【００１２】
斯かる点に鑑み、本願の特許請求の範囲に記載された発明は、絶縁ハウジングに設けられて複数の導電コンタクトにおける接触部分が配列配置される嵌合部を、相手側コネクタ装置に設けられた嵌合部に嵌合させて、複数の導電コンタクトにおける接触部分を相手側コネクタ装置に配された導電コンタクトに接触接続させるにあたり、絶縁ハウジングに設けられた嵌合部の相手側コネクタ装置に設けられた嵌合部との嵌合が適正かつ円滑に行われるようになす状態を、容易かつ円滑に得ることができることになるコネクタ装置を提供する。
【課題を解決するための手段】
【００１３】
本願の特許請求の範囲における請求項１から請求項６までのいずれかに記載された発明（以下、本発明という。）に係るコネクタ装置は、相手側コネクタ装置に設けられた第１の嵌合部との嵌合状態におかれる第２の嵌合部が設けられた絶縁ハウジングと、第２の嵌合部に配列配置される接触部分を有して絶縁ハウジングに配され、第２の嵌合部が第１の嵌合部との嵌合状態におかれるとき、相手側コネクタ装置に配された複数の第１の導電コンタクトに接触接続される複数の第２の導電コンタクトと、絶縁ハウジングを部分的に覆う導電性シェルと、導電性シェルにその外面を部分的に覆って装着され、第２の嵌合部の第１の嵌合部との嵌合にあたり、複数の第２の導電コンタクトの接触部分の配列方向における両端部分を、相手側コネクタ装置の上述の配列方向における両端部に夫々係合させて、絶縁ハウジングの位置，向き及び移動方向を規制するアライメントカバーと、を備えて構成される。
【００１４】
特に、本発明に係るコネクタ装置のうちの請求項２に記載されたものにあっては、アライメントカバーが、複数の第２の導電コンタクトの接触部分の配列方向における両端部分の夫々に、絶縁ハウジングの上述の配列方向における端面部に所定の間隔をおいて対向する第１の案内部とそれから第２の嵌合部側に離隔した第２の案内部とが、第２の嵌合部の第１の嵌合部との嵌合にあたって相手側コネクタ装置の上述の配列方向における両端部に夫々係合するものとして設けられる。
【００１５】
さらに、本発明に係るコネクタ装置のうちの請求項３に記載されたものにあっては、アライメントカバーの複数の第２の導電コンタクトの接触部分の配列方向における両端部分に夫々設けられた第１及び第２の案内部が、アライメントカバーにおける導電性シェルの外面に沿って広がる部分から絶縁ハウジングにおける端面部に近付く方向に屈曲して伸びるものとされる。
【００１６】
上述のように構成される本発明に係るコネクタ装置においては、絶縁ハウジングを部分的に覆う導電性シェルにその外面を部分的に覆うものとして装着されるアライメントカバーが、相手側コネクタ装置に設けられた第１の嵌合部に絶縁ハウジングに設けられた第２の嵌合部が嵌合する際に、第２の嵌合部の第１の嵌合部との嵌合に先立って、第２の嵌合部に配された複数の第２の導電コンタクトの接触部分の配列方向における両端部分を、相手側コネクタ装置の上述の配列方向における両端部に夫々係合させ、それにより、絶縁ハウジングの位置、向き及び移動方向を規制する。このようにして、アライメントカバーによって絶縁ハウジングの位置，向き及び移動方向が規制されることにより、相手側コネクタ装置に設けられた第１の嵌合部に対する絶縁ハウジングに設けられた第２の嵌合部の位置，向き及び移動方向が定められたもとで、第２の嵌合部が第１の嵌合部に嵌合する状態がとられる。
【００１７】
斯かる機能を果たすアライメントカバーは、例えば、本発明に係るコネクタ装置のうちの請求項２に記載されたものにおけるように、複数の第２の導電コンタクトの接触部分の配列方向における両端部分の夫々に第１及び第２の案内部が設けられたものとされる。これらの第１及び第２の案内部は、夫々が、例えば、本発明に係るコネクタ装置のうちの請求項３に記載されたものにおけるように、アライメントカバーにおける導電性シェルの外面に沿って広がる部分から絶縁ハウジングにおける端面部に近付く方向に屈曲して伸びるものとされたもとで、第１の案内部が、絶縁ハウジングの上述の配列方向における端面部に所定の間隔をおいて対向するものとされるとともに、第２の案内部が、第１の案内部から第２の嵌合部側に離隔したものとされて、第２の嵌合部の第１の嵌合部との嵌合にあたって相手側コネクタ装置の上述の配列方向における両端部に夫々係合する。
【００１８】
それにより、第１及び第２の案内部は、例えば、第１の嵌合部に第２の嵌合部が嵌合する際には、先ず、第２の案内部が、相手側コネクタ装置における上述の配列方向における端部に設けられた第１の係合部に係合して、絶縁ハウジングについての案内を行い、続いて、第１の案内部が、相手側コネクタ装置における上述の配列方向における端部に設けられた第２の係合部に係合して、その第２の係合部を絶縁ハウジングにおける端面部とにより上述の配列方向において挟んで、絶縁ハウジングについての更なる案内を行うものとされ、その結果、第２の嵌合部の第１の嵌合部との嵌合が完了する状態が得られる。
【００１９】
そして、第２の嵌合部の第１の嵌合部との嵌合が完了したときには、例えば、アライメントカバーにおける上述の配列方向における両端部分の夫々が、相手側コネクタ装置における上述の配列方向の端部の一部分を、導電性シェルの外面とで上述の配列方向に直交する方向において挟む状態をとる。
【発明の効果】
【００２０】
上述の本発明に係るコネクタ装置によれば、相手側コネクタ装置に設けられた第１の嵌合部に絶縁ハウジングに設けられた第２の嵌合部が嵌合する際に、絶縁ハウジングを部分的に覆う導電性シェルにその外面を部分的に覆うものとして装着されるアライメントカバーによって、第２の嵌合部の第１の嵌合部との嵌合に先立って、絶縁ハウジングの位置、向き及び移動方向が規制され、それにより、相手側コネクタ装置に設けられた第１の嵌合部に対する絶縁ハウジングに設けられた第２の嵌合部の位置，向き及び移動方向が定められたもとで、第２の嵌合部が第１の嵌合部に嵌合する状態がとられるので、複数の導電コンタクトにおける接触部分が配列配置される第１の嵌合部を、相手側コネクタ装置に設けられた第２の嵌合部に嵌合させて、複数の導電コンタクトにおける接触部分を相手側コネクタ装置に配された導電コンタクトに接触接続させるにあたり、絶縁ハウジングに設けられた第２の嵌合部の相手側コネクタ装置に設けられた第１の嵌合部との嵌合が適正かつ円滑に行われるようになす状態を、容易かつ円滑に得ることができることになる。
【００２１】
特に、本発明に係るコネクタ装置のうちの請求項２、さらには、本発明に係るコネクタ装置のうちの請求項３に記載されたものによれば、アライメントカバーの上述の配列方向における両端部分の夫々に、絶縁ハウジングの上述の配列方向における端面部に所定の間隔をおいて対向する第１の案内部とそれから第２の嵌合部側に離隔した第２の案内部とが設けられ、それらが、例えば、第１の嵌合部に第２の嵌合部が嵌合する際に、先ず、第２の案内部が、相手側コネクタ装置における上述の配列方向における端部に設けられた第１の係合部に係合して、絶縁ハウジングについての案内を行い、続いて、第１の案内部が、相手側コネクタ装置における上述の配列方向における端部に設けられた第２の係合部に係合して、その第２の係合部を絶縁ハウジングにおける端面部とにより上述の配列方向において挟んで、絶縁ハウジングについての更なる案内を行うものとされ、その結果、第２の嵌合部の第１の嵌合部との嵌合が完了する状態が得られるようになすものとされることにより、絶縁ハウジングに設けられた第２の嵌合部の相手側コネクタ装置に設けられた第１の嵌合部との嵌合が適正かつ円滑に行われるようになす状態を、確実に、しかも、より一層容易かつ円滑に得ることができる。
【００２２】
さらに、第２の嵌合部の第１の嵌合部との嵌合が完了したとき、アライメントカバーにおける上述の配列方向における両端部分の夫々が、相手側コネクタ装置における上述の配列方向の端部の一部分を、導電性シェルの外面とで上述の配列方向に直交する方向において挟む状態をとる場合には、第２の嵌合部が第１の嵌合部から抜去されるにあたり、第２の嵌合部が第１の嵌合部に対して上述の配列方向に直交する方向における“こじり”を生じる不所望な事態が回避される。
【発明を実施するための最良の形態】
【００２３】
本発明を実施するための最良の形態は、以下に述べられる本発明についての実施例をもって説明される。
【実施例】
【００２４】
図１及び図２は、本発明に係るコネクタ装置の一例を、それに連結された複数のケーブルと共に示す。
【００２５】
図１及び図２において、本発明に係るコネクタ装置の一例を成すコネクタ装置１１は、コネクタ本体部１２とそれに取り付けられたアライメントカバー１３とを含んで構成されている。このコネクタ装置１１は、コネクタ本体部１２に複数の同軸ケーブル１４が電気的に連結されたもとで、例えば、ソリッド印刷配線基板とされる基板にそれに設けられた電気回路構成部との電気的接続がなされて取り付けられた、基板側コネクタ装置とされる相手側コネクタ装置に嵌合する、ケーブル等側コネクタ装置として用いられる。
【００２６】
コネクタ本体部１２は、図３及び図４に示されるように、合成樹脂等の絶縁材料によって形成された絶縁ハウジング１５, 外部からの電磁波ノイズ対策のため絶縁ハウジング１５の外面部を部分的に覆うものとされた、例えば、各々が弾性を有した金属板材料が屈曲されて成る導電性シェル１６を備えている。
【００２７】
絶縁ハウジング１５には、相手側コネクタ装置（基板側コネクタ装置）に設けられた嵌合凹部との嵌合状態におかれる、絶縁ハウジング１５の長手方向（矢印Ｌにより示される方向であって、以下、Ｌ方向という。）に伸びる嵌合凸部１７が設けられている。また、絶縁ハウジング１５には、各々が、例えば、弾性を有した金属材料が屈曲されて形成された複数の導電コンタクト１８が、夫々の接触部分が嵌合凸部１７にＬ方向に沿って配列配置されるものとされて配されている。従って、Ｌ方向は、嵌合凸部１７に配列配置された複数の導電コンタクト１８の接触部分の配列方向でもある。
【００２８】
複数の導電コンタクト１８の夫々における嵌合凸部１７に配列配置された接触部分は、嵌合凸部１７が相手側コネクタ装置に設けられた嵌合凹部との嵌合状態におかれるとき、その相手側コネクタ装置に配されて基板との電気的接続がなされた複数の導電コンタクトのうちの対応するものに接触接続され、それにより、複数の導電コンタクト１８が相手側コネクタ装置における複数の導電コンタクトに夫々接続されることになる。また、複数の導電コンタクト１８の夫々には、複数の同軸ケーブル１４のうちの対応するものの信号導体が接続される。複数の同軸ケーブル１４の夫々は、その信号導体が導電コンタクト１８に接続されるとともに、その接地導体が導電性シェル１６に接触接続されて、コネクタ本体部１２に電気的に連結される。
【００２９】
導電性シェル１６は、絶縁ハウジング１５の図１において上側となる外面（以下、上面という）を部分的に覆うものとされた上面側半体と絶縁ハウジング１５の図１において下側となる外面（以下、底面という）を部分的に覆うものとされた底面側半体とが、各々のＬ方向の両端部において相互連結されて構成されている。即ち、導電性シェル１６のＬ方向における両端部１６ａ及び１６ｂは，上面側半体と底面側半体とが相互係合する部分とされているのである。
【００３０】
そして、導電性シェル１６の上面側半体には、導電性シェル１６の端部１６ａを形成する一端部の近傍に、絶縁ハウジング１５の嵌合凸部１７が相手側コネクタ装置に設けられた嵌合凹部との嵌合状態におかれるとき、相手側コネクタ装置の導電性シェルに設けられた係合孔に係合する係合突起１６ｃが設けられ、また、導電性シェル１６の端部１６ｂを形成する他端部の近傍に、絶縁ハウジング１５の嵌合凸部１７が相手側コネクタ装置に設けられた嵌合凹部との嵌合状態におかれるとき、相手側コネクタ装置の導電性シェルに設けられた係合孔に係合する係合突起１６ｄが設けられている。係合突起１６ｃ及び１６ｄの夫々は、導電性シェル１６の上面側半体の一部が形成する弾性片に形成されていて、相手側コネクタ装置の導電性シェルに設けられた係合孔との係合及びその係合孔からの離脱を、弾性片の弾性変形を伴って行う。
【００３１】
アライメントカバー１３は、例えば、弾性を有した金属板材料が屈曲されて形成されて、コネクタ本体部１２における導電性シェル１６に、その上面側半体の外面を部分的に覆って装着されるものとされる。そして、アライメントカバー１３は、図５及び図６に示されるように、導電性シェル１６に装着されたときその上面側半体を一部分を残して全面的に覆う平板状部２０を有しており、導電性シェル１６に装着されたとき平板状部２０のＬ方向における両端部となる一対の端部の一方に、平板状部２０から屈曲して伸びる係合部２１ａと二つの案内部２２ａ及び２３ａとが設けられるとともに、上述の一対の端部の他方に、平板状部２０から屈曲して伸びる係合部２１ｂと二つの案内部２２ｂ及び２３ｂとが設けられている。
【００３２】
案内部２２ａの案内部２３ａ側とは反対側の端部は、外方に屈曲されて傾斜面を成す係合案内部２４ａを形成しており、同様に、案内部２２ｂの案内部２３ｂ側とは反対側の端部は、外方に屈曲されて傾斜面を成す係合案内部２４ｂを形成している。また、案内部２２ａは、導電性シェル１６に装着されたときＬ方向となる方向において案内部２３ａより外方に突出するものとされており、同様に、案内部２２ｂは、導電性シェル１６に装着されたときＬ方向となる方向において案内部２３ｂより外方に突出するものとされている。
【００３３】
そして、図５及び図６に示されるアライメントカバー１３は、図３及び図４に示されるコネクタ本体部１２における導電性シェル１６に、その平面状部２０が導電性シェル１６の上面側半体の外面を僅かな部分を残して略全面的に覆い、その係合部２１ａ及び２１ｂが導電性シェル１６の両端部１６ａ及び１６ｂに夫々係合する状態をもって、装着される。このような、アライメントカバー１３の導電性シェル１６への装着にあたっては、アライメントカバー１３が導電性シェル１６に半田付けされて固定されるようにされてもよい。
【００３４】
上述のようにしてアライメントカバー１３が導電性シェル１６に装着されることにより、図１及び図２に示されるコネクタ装置１１が得られる。コネクタ装置１１にあっては、アライメントカバー１３の平面状部２０が、導電性シェル１６の上面側半体からＬ方向に直交するＳ方向（矢印Ｓにより示される方向。）において絶縁ハウジング１５の嵌合凸部１７側に張り出しており、嵌合凸部１７の上面を、それとの間に所定の間隔をおいて覆っている。また、アライメントカバー１３の平面状部２０は、導電性シェル１６の上面側半体からＬ方向において導電性シェル１６の端部１６ａ側及び端部１６ｂ側にも張り出している。それにより、図２に示されるように、アライメントカバー１３に設けられた案内部２３ｂが、絶縁ハウジング１５のＬ方向における端面部２５ｂに、それとの間に所定の間隔をおいて対向するものとされるとともに、アライメントカバー１３に設けられた案内部２２ｂが、案内部２３ｂから絶縁ハウジング１５の嵌合凸部１７側に離隔したものとされ、同様に、アライメントカバー１３に設けられた案内部２３ａが、絶縁ハウジング１５のＬ方向における端面部２５ａに、それとの間に所定の間隔をおいて対向するものとされるとともに、アライメントカバー１３に設けられた案内部２２ａが、案内部２３ａから絶縁ハウジング１５の嵌合凸部１７側に離隔したものとされる。
【００３５】
なお、図１及び図２に示される例にあっては、絶縁ハウジング１５の端面部２５ａ及び２５ｂの夫々は、その外面が導電性シェル１６によって覆われていないが、その外面が導電性シェル１６の一部によって覆われるようにされてもよい。
【００３６】
図７及び図８は、コネクタ装置１１に対する相手側コネクタ装置の一例を成す基板側コネクタ装置３０を示す。
【００３７】
図７及び図８において、基板側コネクタ装置３０は、例えば、ソリッド印刷配線基板とされる基板にそれに設けられた電気回路構成部との電気的接続がなされて取り付けられた状態のもとで、コネクタ装置１１が嵌合するものとされている。そして、基板側コネクタ装置３０は、合成樹脂等の絶縁材料によって形成された絶縁ハウジング３１、及び、外部からの電磁波ノイズ対策のため絶縁ハウジング３１の外面部の殆どを覆うものとされた、例えば、弾性を有した金属板材料が屈曲されて成る導電性シェル３２を備えている。
【００３８】
絶縁ハウジング３１及び導電性シェル３２には、コネクタ装置１１に設けられた嵌合凸部１７との嵌合状態におかれる、絶縁ハウジング３１の長手方向（矢印Ｌ’により示される方向であって、以下、Ｌ’方向という。）に伸びる嵌合凹部３３が設けられている。また、絶縁ハウジング３１には、各々が、例えば、弾性を有した金属材料が屈曲されて形成された複数の導電コンタクト３４が、Ｌ’方向に沿って配列配置されるものとされて配されている。そして、複数の導電コンタクト３４の夫々における絶縁ハウジング３１からその外方に突出する一端は、基板側コネクタ装置３０が取り付けられる基板に設けられた配線パターン部に接続される接続端子を形成している。また、複数の導電コンタクト３４の夫々における他端側の部分は、嵌合凹部３３内に配され、コネクタ装置１１の嵌合凸部１７が嵌合凹部３３との嵌合状態におかれるとき、コネクタ装置１１に配された複数の導電コンタクト１８の接触部分のうちの対応するものが接触接続されるものとされる。
【００３９】
導電性シェル３２にあっては、Ｌ’方向における端部３５ａ及び３５ｂに、コネクタ装置１１の絶縁ハウジング１５に設けられた嵌合凸部１７が絶縁ハウジング３１及び導電性シェル３２に設けられた嵌合凹部３３との嵌合状態におかれるとき、コネクタ装置１１の導電性シェル１６に設けられた係合突起１６ｃ及び１６ｄが夫々係合することになる、係合孔３６ａ及び３６ｂが夫々設けられている。
【００４０】
また、導電性シェル３２における端部３５ａには、コネクタ装置１１の絶縁ハウジング１５に設けられた嵌合凸部１７が絶縁ハウジング３１及び導電性シェル３２に設けられた嵌合凹部３３との嵌合状態におかれるにあたり、コネクタ装置１１のアライメントカバー１３に設けられた案内部２２ａが係合することになる係合部３７ａ及びコネクタ装置１１のアライメントカバー１３に設けられた案内部２３ａが係合することになる係合部３８ａが設けられており、同様に、導電性シェル３２における端部３５ｂには、コネクタ装置１１の絶縁ハウジング１５に設けられた嵌合凸部１７が絶縁ハウジング３１及び導電性シェル３２に設けられた嵌合凹部３３との嵌合状態におかれるにあたり、コネクタ装置１１のアライメントカバー１３に設けられた案内部２２ｂが係合することになる係合部３７ｂ及びコネクタ装置１１のアライメントカバー１３に設けられた案内部２３ｂが係合することになる係合部３８ｂが設けられている。係合部３７ａは、Ｌ’方向において係合部３８ａより外方に突出するものとされており、同様に、係合部３７ｂは、Ｌ’方向において係合部３８ｂより外方に突出するものとされている。
【００４１】
このような導電性シェル３２における端部３５ａ及び３５ｂは、基板側コネクタ装置３０における両端部を夫々形成している。
【００４２】
さらに、導電性シェル３２には、配列配置された複数の導電コンタクト３４を挟む位置において絶縁ハウジング３１からその外部に突出し、基板側コネクタ装置３０が取り付けられる基板に設けられた接地接続部に接続される接地接続端子３９ａ及び３９ｂが設けられている。
【００４３】
そして、絶縁ハウジング３１及び導電性シェル３２を備える基板側コネクタ装置３０は、複数の導電コンタクト３４の夫々の一端が、基板側コネクタ装置３０が取り付けられる基板に設けられた配線パターン部に接続され、また、接地接続端子３９ａ及び３９ｂが、基板側コネクタ装置３０が取り付けられる基板に設けられた接地接続部に接続されて、基板にそれに設けられた電気回路構成部との電気的接続がなされて取り付けられた状態におかれる。
【００４４】
上述のコネクタ装置１１及び基板側コネクタ装置３０は、基板側コネクタ装置３０が、例えば、ソリッド印刷配線基板とされる基板にそれに設けられた電気回路構成部との電気的接続がなされて取り付けられた状態のもとで、コネクタ装置１１が基板側コネクタ装置３０に係合するものとされ、その際、コネクタ装置１１の絶縁ハウジング１５に設けられた嵌合凸部１７が、基板側コネクタ装置３０の絶縁ハウジング３１及び導電性シェル３２に設けられた嵌合凹部３３に嵌合する。斯かるコネクタ装置１１の基板側コネクタ装置３０との係合が行われるときには、先ず、図９及び図１０に示されるように、複数の同軸ケーブル１４が電気的に連結されたコネクタ装置１１が、その絶縁ハウジング１５に設けられた嵌合凸部１７を、ソリッド印刷配線基板とされる基板に取り付けられた基板側コネクタ装置３０に設けられた嵌合凹部３３に、Ｓ方向において対向させる位置に配される。なお、コネクタ装置１１におけるアライメントカバー１３によって覆われた部分を示すため、図９にあっては、便宜上、コネクタ装置１１が、アライメントカバー１３の一部が破断除去されて示されており、また、図１０にあっては、便宜上、アライメントカバー１３の全体が仮想線をもって示されている。
【００４５】
図９に示されるように、基板側コネクタ装置３０の導電性シェル３２における端部３５ａには、それから屈曲して基板側コネクタ装置３０の内部側に伸びる弾性片部４０ａが設けられており、また、基板側コネクタ装置３０の導電性シェル３２における端部３５ｂには、それから屈曲して基板側コネクタ装置３０の内部側に伸びる弾性片部４０ｂが設けられている。
【００４６】
そして、このとき、図９に示される矩形枠Ｆ１内を拡大して示す図１１に示されるように、コネクタ装置１１のアライメントカバー１３に設けられた案内部２２ｂ及び２３ｂ、及び、絶縁ハウジング１５の端面部２５ｂと、基板側コネクタ装置３０の導電性シェル３２における端部３５ｂとの位置関係は、案内部２２ｂが、Ｓ方向において、端部３５ｂに設けられた係合部３７ｂに対応する位置をとり、案内部２３ｂ及び端面部２５ｂが、Ｓ方向において、端部３５ｂに設けられた係合部３８ｂ及び弾性片部４０ｂに夫々対応する位置をとるものとされる。同様に、コネクタ装置１１のアライメントカバー１３に設けられた案内部２２ａ及び２３ａ、及び、絶縁ハウジング１５の端面部２５ａと、基板側コネクタ装置３０の導電性シェル３２における端部３５ａとの位置関係は、案内部２２ａが、Ｓ方向において、端部３５ａに設けられた係合部３７ａに対応する位置をとり、案内部２３ａ及び端面部２５ａが、Ｓ方向において、端部３５ａに設けられた係合部３８ａ及び弾性片部４０ａに夫々対応する位置をとるものとされる。
【００４７】
次に、コネクタ装置１１がＳ方向において基板側コネクタ装置３０に向かう向きに移動せしめられ、図１２，図１３及び図１４、さらには、図１２に示される矩形枠Ｆ２内を拡大して示す図１５に示されるように、コネクタ装置１１のアライメントカバー１３に設けられた案内部２２ａ及び２２ｂが、基板側コネクタ装置３０の導電性シェル３２における端部３５ａに設けられた係合部３７ａ及び端部３５ｂに設けられた係合部３７ｂに、夫々係合する状態がとられる。なお、コネクタ装置１１におけるアライメントカバー１３によって覆われた部分を示すため、図１２にあっては、便宜上、コネクタ装置１１が、アライメントカバー１３の一部が破断除去されて示されている。斯かる際、案内部２２ａの端部が外方に屈曲されて傾斜面を成す係合案内部２４ａを形成しており、また、案内部２２ｂの端部が外方に屈曲されて傾斜面を成す係合案内部２４ｂを形成していることにより、係合案内部２４ａ及び２４ｂによって案内部２２ａ及び２２ｂが係合部３７ａ及び３７ｂへと夫々案内されることになって、案内部２２ａ及び２２ｂが係合部３７ａ及び３７ｂに夫々係合する状態が容易かつ円滑に得られる。
【００４８】
このようにして、係合部３７ａ及び３７ｂに夫々係合する状態をとる案内部２２ａ及び２２ｂは、コネクタ装置１１の絶縁ハウジング１５について、その位置及び向きを規制し、さらに、その移動方向をＳ方向に定めるべく規制したもとでの案内を行う。そして、上述の図１２〜図１５に示される状態のもとにあっては、コネクタ装置１１の絶縁ハウジング１５における嵌合凸部１７は、未だ基板側コネクタ装置３０の絶縁ハウジング３１及び導電性シェル３２に設けられた嵌合凹部３３の位置には達していない。
【００４９】
続いて、コネクタ装置１１が、そのアライメントカバー１３に設けられた案内部２２ａ及び２２ｂを基板側コネクタ装置３０の導電性シェル３２に設けられた係合部３７ａ及び３７ｂに夫々係合させたもとで、Ｓ方向において基板側コネクタ装置３０に向かう向きに更に移動せしめられる。それにより、図１６及び図１７、さらには、図１６に示される矩形枠Ｆ３内を拡大して示す図１８に示されるように、案内部２２ａ及び２２ｂが係合部３７ａ及び３７ｂに夫々係合するとともに、コネクタ装置１１のアライメントカバー１３に設けられた案内部２３ａ及び２３ｂが、基板側コネクタ装置３０の導電性シェル３２における端部３５ａに設けられた係合部３８ａ及び端部３５ｂに設けられた係合部３８ｂに、夫々係合する状態がとられる。なお、コネクタ装置１１におけるアライメントカバー１３によって覆われた部分を示すため、図１６にあっては、便宜上、コネクタ装置１１が、アライメントカバー１３の一部が破断除去されて示されており、また、図１７にあっては、便宜上、アライメントカバー１３の全体が仮想線をもって示されている。斯かる案内部２３ａの係合部３８ａとの係合及び案内部２３ｂの係合部３８ｂとの係合は、案内部２２ａ及び２２ｂが係合部３７ａ及び３７ｂに夫々係合することにより、コネクタ装置１１の絶縁ハウジング１５が、その位置及び向きが規制されるとともにその移動方向がＳ方向に規制されて案内されるもとで行われ、従って、案内部２３ａ及び２３ｂが係合部３８ａ及び３８ｂに夫々係合する状態が容易かつ円滑に得られる。
【００５０】
このとき、図１７における XIX−XIX 線に沿う断面を示す図１９に示されるように、基板側コネクタ装置３０の導電性シェル３２における端部３５ｂの係合孔３６ｂが設けられた部分が、Ｌ方向及びＳ方向の両者に直交する方向において、コネクタ装置１１の導電性シェル１６における係合突起１６ｄが設けられた部分とアライメントカバー１３の平板状部２０における端部との間となる位置に配される。同様に、基板側コネクタ装置３０の導電性シェル３２における端部３５ａの係合孔３６ａが設けられた部分が、Ｌ方向及びＳ方向の両者に直交する方向において、コネクタ装置１１の導電性シェル１６における係合突起１６ｃが設けられた部分とアライメントカバー１３の平板状部２０における端部との間となる位置に配される。
【００５１】
このような図１６〜図１９に示される状態のもとにあっても、コネクタ装置１１の絶縁ハウジング１５における嵌合凸部１７は、未だ基板側コネクタ装置３０の絶縁ハウジング３１及び導電性シェル３２に設けられた嵌合凹部３３の位置には達していない。
【００５２】
その後、コネクタ装置１１が、アライメントカバー１３に設けられた案内部２２ａ及び２２ｂを基板側コネクタ装置３０の導電性シェル３２に設けられた係合部３７ａ及び３７ｂに夫々係合させるとともに、アライメントカバー１３に設けられた案内部２３ａ及び２３ｂを基板側コネクタ装置３０の導電性シェル３２に設けられた係合部３８ａ及び３８ｂに夫々係合させたもとで、Ｓ方向において基板側コネクタ装置３０に向かう向きに更に移動せしめられる。
【００５３】
それにより、図２０，図２１及び図２２、さらには、図２０に示される矩形枠Ｆ４内を拡大して示す図２３に示されるように、案内部２２ａ及び２２ｂが係合部３７ａ及び３７ｂに夫々係合するとともに、案内部２３ａ及び２３ｂが係合部３８ａ及び係合部３８ｂに夫々係合し、それに加えて、図２０及び図２３に示されるように、基板側コネクタ装置３０の導電性シェル３２の端部３５ｂにおける係合部３８ｂと弾性片部４０ｂとが設けられた部分が、コネクタ装置１１の絶縁ハウジング１５における端面部２５ｂとそれに対向する案内部２３ｂとによって挟まれるものとされ、同様に、基板側コネクタ装置３０の導電性シェル３２の端部３５ａにおける係合部３８ａと弾性片部４０ａとが設けられた部分が、コネクタ装置１１の絶縁ハウジング１５における端面部２５ａとそれに対向する案内部２３ａとによって挟まれるものとされる。斯かるもとで行われるコネクタ装置１１のＳ方向における移動は、例えば、コネクタ装置１１の導電性シェル１６における両端部１６ａ及び１６ｂが、基板側コネクタ装置３０の導電性シェル３２の端部３５ａにおける弾性片部４０ａが設けられた部分及び端部３５ｂにおける弾性片部４０ｂが設けられた部分に夫々当接する状態となるまで行われる。
【００５４】
そして、図２０，図２２及び図２３に示されるように、コネクタ装置１１の導電性シェル１６における両端部１６ａ及び１６ｂが、基板側コネクタ装置３０の導電性シェル３２の端部３５ａにおける弾性片部４０ａが設けられた部分及び端部３５ｂにおける弾性片部４０ｂが設けられた部分に夫々当接し、コネクタ装置１１のＳ方向における移動が終了した状態がとられるときには、コネクタ装置１１の導電性シェル１６に設けられた係合突起１６ｃ及び１６ｄが、基板側コネクタ装置３０の導電性シェル３２における端部３５ａ及び３５ｂに設けられた係合孔３６ａ及び３６ｂに夫々係合する。
【００５５】
このようにして、コネクタ装置１１の導電性シェル１６に設けられた係合突起１６ｃ及び１６ｄが、基板側コネクタ装置３０の導電性シェル３２における端部３５ａ及び３５ｂに設けられた係合孔３６ａ及び３６ｂに夫々係合するときには、コネクタ装置１１の絶縁ハウジング１５における嵌合凸部１７は、基板側コネクタ装置３０の絶縁ハウジング３１及び導電性シェル３２に設けられた嵌合凹部３３の位置に達していて、嵌合凸部１７が嵌合凹部３３に嵌合した状態におかれる。
【００５６】
斯かる嵌合凸部１７の嵌合凹部３３との嵌合は、案内部２２ａ及び２２ｂが係合部３７ａ及び３７ｂに夫々係合するとともに、案内部２３ａ及び２３ｂが係合部３８ａ及び係合部３８ｂに夫々係合し、それに加えて、基板側コネクタ装置３０の導電性シェル３２の端部３５ｂにおける係合部３８ｂと弾性片部４０ｂとが設けられた部分が、コネクタ装置１１の絶縁ハウジング１５における端面部２５ｂとそれに対向する案内部２３ｂとによって挟まれるとともに、基板側コネクタ装置３０の導電性シェル３２の端部３５ａにおける係合部３８ａと弾性片部４０ａとが設けられた部分が、コネクタ装置１１の絶縁ハウジング１５における端面部２５ａとそれに対向する案内部２３ａとによって挟まれるものとされたもとで、コネクタ装置１１がＳ方向において基板側コネクタ装置３０に向かう向きに移動せしめられることによって行われる。即ち、コネクタ装置１１が、基板側コネクタ装置３０の導電性シェル３２に設けられた係合部３７ａ及び３８ａに夫々係合する案内部２２ａ及び２３ａと、基板側コネクタ装置３０の導電性シェル３２に設けられた係合部３７ｂ及び３８ｂに夫々係合する案内部２２ｂ及び２３ｂと、が設けられたアライメントカバー１３によって、絶縁ハウジング１５についての、基板側コネクタ装置３０に対する、位置，向き及び移動方向が規制されての案内が行われるもとで、基板側コネクタ装置３０に向かう向きに移動せしめられることにより、コネクタ装置１１の絶縁ハウジング１５における嵌合凸部１７が基板側コネクタ装置３０の絶縁ハウジング３１及び導電性シェル３２に設けられた嵌合凹部３３に嵌合する状態が得られるのである。従って、嵌合凸部１７が嵌合凹部３３に嵌合する状態は、容易かつ円滑に得られることになる。
【００５７】
さらに、コネクタ装置１１の導電性シェル１６に設けられた係合突起１６ｃ及び１６ｄが、基板側コネクタ装置３０の導電性シェル３２における端部３５ａ及び３５ｂに設けられた係合孔３６ａ及び３６ｂに夫々係合したときには、コネクタ装置１１の導電性シェル１６における係合突起１６ｄが設けられた部分と基板側コネクタ装置３０の導電性シェル３２における端部３５ｂの係合孔３６ｂが設けられた部分との関係は、コネクタ装置１１の導電性シェル１６における係合突起１６ｄが設けられた部分が、図１９に示される状態から、さらに、Ｓ方向において基板側コネクタ装置３０側に移動した位置をとるものとされ、基板側コネクタ装置３０の導電性シェル３２における端部３５ｂの係合孔３６ｂが設けられた部分が、Ｌ方向及びＳ方向の両者に直交する方向において、コネクタ装置１１の導電性シェル１６における係合突起１６ｄが設けられた部分とアライメントカバー１３の平板状部２０における端部とによって挟まれたものとされる。同様に、基板側コネクタ装置３０の導電性シェル３２における端部３５ａの係合孔３６ａが設けられた部分が、Ｌ方向及びＳ方向の両者に直交する方向において、コネクタ装置１１の導電性シェル１６における係合突起１６ｃが設けられた部分とアライメントカバー１３の平板状部２０における端部とによって挟まれたものとされる。
【００５８】
このように、基板側コネクタ装置３０の導電性シェル３２における端部３５ｂの係合孔３６ｂが設けられた部分が、Ｌ方向及びＳ方向の両者に直交する方向において、コネクタ装置１１の導電性シェル１６における係合突起１６ｄが設けられた部分とアライメントカバー１３の平板状部２０における端部とによって挟まれたものとされるとともに、基板側コネクタ装置３０の導電性シェル３２における端部３５ａの係合孔３６ａが設けられた部分が、Ｌ方向及びＳ方向の両者に直交する方向において、コネクタ装置１１の導電性シェル１６における係合突起１６ｃが設けられた部分とアライメントカバー１３の平板状部２０における端部とによって挟まれたものとされることにより、Ｌ方向及びＳ方向の両者に直交する方向における、基板側コネクタ装置３０に対するコネクタ装置１１の姿勢変動が阻止され、コネクタ装置１１と基板側コネクタ装置３０との相互係合状態が安定に維持される。
【００５９】
その後、コネクタ装置１１及び基板側コネクタ装置３０が、相互係合状態を解除すべく、コネクタ装置１１の絶縁ハウジング１５における嵌合凸部１７が、基板側コネクタ装置３０の絶縁ハウジング３１及び導電性シェル３２に設けられた嵌合凹部３３から抜脱されるにあたっては、嵌合凸部１７が嵌合凹部３３との嵌合状態におかれたコネクタ装置１１が、Ｓ方向において基板側コネクタ装置３０から離隔する向きに移動せしめられる。その際、基板側コネクタ装置３０の導電性シェル３２における端部３５ｂの係合孔３６ｂが設けられた部分が、Ｌ方向及びＳ方向の両者に直交する方向において、コネクタ装置１１の導電性シェル１６における係合突起１６ｄが設けられた部分とアライメントカバー１３の平板状部２０における端部とによって挟まれたものとされるとともに、基板側コネクタ装置３０の導電性シェル３２における端部３５ａの係合孔３６ａが設けられた部分が、Ｌ方向及びＳ方向の両者に直交する方向において、コネクタ装置１１の導電性シェル１６における係合突起１６ｃが設けられた部分とアライメントカバー１３の平板状部２０における端部とによって挟まれたものとされているので、基板側コネクタ装置３０に対してコネクタ装置１１がＬ方向及びＳ方向の両者に直交する方向に変位する事態が防止され、コネクタ装置１１の絶縁ハウジング１５における嵌合凸部１７が、基板側コネクタ装置３０の絶縁ハウジング３１及び導電性シェル３２に設けられた嵌合凹部３３から、“こじり”を生じることなく、Ｓ方向に適正に抜脱される。また、コネクタ装置１１の嵌合凸部１７が基板側コネクタ装置３０の嵌合凹部３３から抜脱される際、基板側コネクタ装置３０の導電性シェル３２の端部３５ｂにおける係合部３８ｂと弾性片部４０ｂとが設けられた部分が、コネクタ装置１１の絶縁ハウジング１５における端面部２５ｂとそれに対向する案内部２３ｂとによって挟まれるものとされ、同様に、基板側コネクタ装置３０の導電性シェル３２の端部３５ａにおける係合部３８ａと弾性片部４０ａとが設けられた部分が、コネクタ装置１１の絶縁ハウジング１５における端面部２５ａとそれに対向する案内部２３ａとによって挟まれるものとされているので、基板側コネクタ装置３０に対してコネクタ装置１１がＬ方向に変位する事態が防止され、それにより、コネクタ装置１１の嵌合凸部１７が、基板側コネクタ装置３０の嵌合凹部３３から、“こじり”を生じることなく、Ｓ方向に適正に抜脱される。
【００６０】
続いて、コネクタ装置１１が、基板側コネクタ装置３０の導電性シェル３２に設けられた係合部３７ａ及び３８ａに夫々係合する案内部２２ａ及び２３ａと、基板側コネクタ装置３０の導電性シェル３２に設けられた係合部３７ｂ及び３８ｂに夫々係合する案内部２２ｂ及び２３ｂと、が設けられたアライメントカバー１３によって、絶縁ハウジング１５についての、基板側コネクタ装置３０に対する、位置，向き及び移動方向が規制されての案内が行われるもとで、基板側コネクタ装置３０から離れる向きに移動せしめられ、それにより、コネクタ装置１１の基板側コネクタ装置３０からの離脱が容易かつ円滑に行われる。
【００６１】
上述のコネクタ装置１１にあっては、そのコネクタ本体部１２に取り付けられるアライメントカバー１３が、コネクタ本体部１２に、例えば、それが備える導電性シェル１６に半田付けされて、固定されるものとされているが、アライメントカバー１３は、コネクタ本体部１２に対して着脱可能なものとされてもよい。
【産業上の利用可能性】
【００６２】
以上のような本発明に係るコネクタ装置は、絶縁ハウジングに設けられて複数の導電コンタクトにおける接触部分が配列配置される嵌合部を、相手側コネクタ装置に設けられた嵌合部に嵌合させて、複数の導電コンタクトにおける接触部分を相手側コネクタ装置に配された導電コンタクトに接触接続させるにあたり、絶縁ハウジングに設けられた嵌合部の相手側コネクタ装置に設けられた嵌合部との嵌合が適正かつ円滑に行われるようになす状態を、容易かつ円滑に得ることができるものとして、様々な電子機器等に広く適用され得るものである。
【図面の簡単な説明】
【００６３】
【図１】本発明に係るコネクタ装置の一例をそれに連結された複数のケーブルと共に示す斜視図である。
【図２】本発明に係るコネクタ装置の一例をそれに連結された複数のケーブルと共に示す斜視図である。
【図３】図１及び図２に示されるコネクタ装置が備えるコネクタ本体部をそれに連結された複数のケーブルと共に示す斜視図である。
【図４】図１及び図２に示されるコネクタ装置が備えるコネクタ本体部をそれに連結された複数のケーブルと共に示す斜視図である。
【図５】図１及び図２に示されるコネクタ装置が備えるアライメントカバーを単体で示す斜視図である。
【図６】図１及び図２に示されるコネクタ装置が備えるアライメントカバーを単体で示す斜視図である。
【図７】本発明に係るコネクタ装置の一例に対する相手側コネクタ装置の一例を成す基板側コネクタ装置を示す斜視図である。
【図８】本発明に係るコネクタ装置の一例に対する相手側コネクタ装置の一例を成す基板側コネクタ装置を示す斜視図である。
【図９】図１及び図２に示されるコネクタ装置が図７及び図８に示される基板側コネクタ装置に対向配置された状態を示す平面図である。
【図１０】図１及び図２に示されるコネクタ装置が図７及び図８に示される基板側コネクタ装置に対向配置された状態を示す斜視図である。
【図１１】図９における矩形枠Ｆ１内の部分を拡大して示す部分拡大平面図である。
【図１２】図１及び図２に示されるコネクタ装置が図７及び図８に示される基板側コネクタ装置との係合を開始した状態を示す平面図である。
【図１３】図１及び図２に示されるコネクタ装置が図７及び図８に示される基板側コネクタ装置との係合を開始した状態を示す斜視図である。
【図１４】図１及び図２に示されるコネクタ装置が図７及び図８に示される基板側コネクタ装置との係合を開始した状態を示す斜視図である。
【図１５】図１２における矩形枠Ｆ２内の部分を拡大して示す部分拡大平面図である。
【図１６】図１及び図２に示されるコネクタ装置が図７及び図８に示される基板側コネクタ装置との係合過程にある状態を示す平面図である。
【図１７】図１及び図２に示されるコネクタ装置が図７及び図８に示される基板側コネクタ装置との係合過程にある状態を示す斜視図である。
【図１８】図１６における矩形枠Ｆ３内の部分を拡大して示す部分拡大平面図である。
【図１９】図１７における XIX−XIX 線に沿う断面を示す断面図である。
【図２０】図１及び図２に示されるコネクタ装置が図７及び図８に示される基板側コネクタ装置との係合を完了した状態を示す平面図である。
【図２１】図１及び図２に示されるコネクタ装置が図７及び図８に示される基板側コネクタ装置との係合を完了した状態を示す斜視図である。
【図２２】図１及び図２に示されるコネクタ装置が図７及び図８に示される基板側コネクタ装置との係合を完了した状態を示す斜視図である。
【図２３】図２０における矩形枠Ｆ４内の部分を拡大して示す部分拡大平面図である。
【符号の説明】
【００６４】
１１・・・コネクタ装置，  １２・・・コネクタ本体部，  １３・・・アライメントカバー，  １４・・・同軸ケーブル，  １５，３１・・・絶縁ハウジング，  １６，３２・・・導電性シェル，  １６ａ，１６ｂ・・・端部（導電性シェル１６の），１６ｃ，１６ｄ・・・係合突起，  １７・・・嵌合凸部，  １８，３４・・・導電コンタクト，  ２０・・・平板状部（アライメントカバー１３の），  ２１ａ．２１ｂ，３７ａ，３７ｂ，３８ａ，３８ｂ・・・係合部，  ２２ａ，２２ｂ，２３ａ，２３ｂ・・・案内部，  ２４ａ，２４ｂ・・・係合案内部，  ２５ａ，２５ｂ・・・端面部（絶縁ハウジング１５の），  ３０・・・基板側コネクタ装置（相手側コネクタ装置），  ３３・・・嵌合凹分，  ３５ａ，３５ｂ・・・端部（導電性シェル３２の），  ３６ａ，３６ｂ・・・係合孔，  ３９ａ，３８ｂ・・・接地接続端子，  ４０ａ，４０ｂ・・・弾性片部
【図１】
2010073535.tif 000003
【図２】
2010073535.tif 000004
【図３】
2010073535.tif 000005
【図４】
2010073535.tif 000006
【図５】
2010073535.tif 000007
【図６】
2010073535.tif 000008
【図７】
2010073535.tif 000009
【図８】
2010073535.tif 000010
【図９】
2010073535.tif 000011
【図１０】
2010073535.tif 000012
【図１１】
2010073535.tif 000013
【図１２】
2010073535.tif 000014
【図１３】
2010073535.tif 000015
【図１４】
2010073535.tif 000016
【図１５】
2010073535.tif 000017
【図１６】
2010073535.tif 000018
【図１７】
2010073535.tif 000019
【図１８】
2010073535.tif 000020
【図１９】
2010073535.tif 000021
【図２０】
2010073535.tif 000022
【図２１】
2010073535.tif 000023
【図２２】
2010073535.tif 000024
【図２３】
2010073535.tif 000025